(57)【要約】【課題】本発明は、容器の中身が抜けずに量産的且つ効率的にボトルに装着することができ、装着した容器の一部を分離してコップとして使用することができる樹脂製容器を提供する。【解決手段】本発明の樹脂製容器１は、容器体１０と、この容器体の口部内周に設けられた容器体の係合部に着脱可能に係合し、且つ、容器体とは別の被係合体２に容器体を間接的に装着する中間係合体２０と、からなる樹脂製容器であって、この中間係合体は、中間係合体の外縁に設けられ、且つ容器体の係合部１４に係合する外縁係合部２４と、中間係合体の中央を貫通する孔の内縁に設けられ、被係合体の係合部４ａに係合する内縁係合部２６と、を有し、この内縁係合部は、中間係合体を被係合体上に係止する係止部材を含み、中間係合体が被係合体に装着されたとき、係止部材は容器体が中間係合体に係合する力よりも大きな力で被係合体の係合部に中間係合体を係止することを特徴としている。【選択図】　　　図１
2004010134.tif 000002
【特許請求の範囲】
【請求項１】
容器体と、
該容器体の口部内周に設けられた容器体の係合部に着脱可能に係合し、且つ、被係合体に前記容器体を間接的に装着する中間係合体と、
からなる樹脂製容器であって、
前記中間係合体は、
該中間係合体の外縁に設けられ、且つ前記容器体の係合部に係合する外縁係合部と、
前記中間係合体の中央を貫通する孔の内縁に設けられ、前記被係合体の係合部に係合する内縁係合部と、
を有し、
該内縁係合部は、前記中間係合体を前記被係合体上に係止する係止部材を含み、前記中間係合体が前記被係合体に装着されたとき、前記係止部材が、前記容器体が前記中間係合体に係合する力よりも大きな力で前記被係合体の係合部に中間係合体を係止することを特徴とする樹脂製容器。
【請求項２】
前記係止部材は、前記孔の内周に沿って少なくとも部分的に設けられ半径方向内方に突出する２以上の突起物を含む請求項１記載の樹脂製容器。
【請求項３】
前記被係合体はペットボトル容器である請求項１及び請求項２に記載の樹脂製容器。
【発明の詳細な説明】
【０００１】
【発明の属する技術分野】
本発明は、ペットボトル等の口部に取り付ける樹脂製容器に関し、特に、樹脂製容器の中につまみ等の菓子類やキャラクターグッズ等を収容して容器をボトルに装着し、装着後は樹脂製容器の一部分をボトルに装着したままの状態で容器を分離してコップとして使用することができる樹脂製容器に関する。
【０００２】
【従来の技術】
従来、コップとして使用する容器をペットボトルに嵌め込むことによって取り付けられる容器については、実開平２−４３２５１号公報及び実開平４−４８１０８号公報で開示されているペットボトル本体の肩部にコップ容器の口部を嵌め込む形態の容器や、特開２００１−１８０６３８号公報で開示されているペットボトルのキャップに嵌め込む形態のコップ容器や、或いは特開平９−２０３４２号公報で開示されているペットボトル本体の肩部や底部或いは側面に嵌め込む形態のコップ容器等がある。
【０００３】
【発明が解決しようとする課題】
しかしながら、上述した従来の容器の形態は、本来容器が取り付けられるように設計されていない在来のペットボトルには適用することができない。このため、在来のペットボトルに容器を取り付けるには、別の新たな取付具を容器とボトルとの間に設ける等の工夫が必要があるが、このような取付具の提案はなされていない。
また、上述した従来の容器の中につまみ等の菓子類やキャラクターグッズ等を入れてボトルに取り付けるような別の用途が生じた場合には、従来の容器では、ボトルに取り付けの際に内容物が容器から抜け出てしまう等の組立製造上の問題もあり、この問題を解決するには、在来の組立製造ラインを見直して改良を行う等の大掛かりな手間がかかる。
したがって、本来取付容器を備えていない在来のペットボトルの設計変更を行わず、且つ容器の中身が抜けるのを防止しながら量産的にボトルに取り付けることができる取付容器があれば、製造コスト等を抑えることができるが、このような容器に関する提案は一切なされていない。
【０００４】
そこで、本発明は、容器の中身が抜けずに量産的且つ効率的にボトルに装着することができ、装着した容器の一部を分離してコップとして使用することができる樹脂製容器を提供することを目的とする。
【０００５】
【課題を解決するための手段】
上記の目的を達成するために、本発明の樹脂製容器は、容器体と、この容器体の口部内周に設けられた容器体の係合部に着脱可能に係合し、且つ、容器体とは別の被係合体に容器体を間接的に装着する中間係合体と、からなる樹脂製容器であって、この中間係合体は、この中間係合体の外縁に設けられ、且つ容器体の係合部に係合する外縁係合部と、中間係合体の中央を貫通する孔の内縁に設けられ、被係合体の係合部に係合する内縁係合部と、を有し、この内縁係合部は、中間係合体を被係合体上に係止する係止部材を含み、中間係合体が被係合体に装着されたとき、係止部材は容器体が中間係合体に係合する力よりも大きな力で被係合体の係合部に中間係合体を係止することを特徴としている。
【０００６】
このように構成された本発明の樹脂製容器においては、つまみ等の菓子類やキャラクターグッズを入れた容器体の口部に蓋をするように中間係合体を係合させる。次いで、一体となった樹脂製容器を被係合体に装着する。
このことによって、装着の際に容器体の内容物が容器体の外に抜け出るのを防止すると共に量産的且つ効率的に容器を被係合体に装着することができる。
また、本発明の樹脂製容器においては、容器を被係合体に装着した後、中間係合体の係止部材が、容器体が中間係合体に係合する力よりも大きな力で被係合体の係合部に中間係合体を係止する。
このことによって、容器が被係合体に装着された後には、中間係合体が被係合体に装着されたままの状態で、容器体を容易に中間係合体から分離することができる。
【０００７】
また、本発明において、好ましくは、係止部材は、前記孔の内周に沿って少なくとも部分的に設けられ半径方向内方に突出する２以上の突起物を含む。
【０００８】
さらに、本発明において、好ましくは、被係合体はペットボトル容器である。
【０００９】
【発明の実施の形態】
以下、本発明の実施形態について、図１乃至図３を参照して説明する。
図１は、本発明の一実施形態によるボトル取付用樹脂製容器を示す分解斜視図である。
図１に示すように、符号１はボトル取付用樹脂製容器を示し、この樹脂製容器１は、容器体１０と、この容器体１０と着脱可能に係合し、且つ市販の５００ｍｌ用のペットボトル２の口部に嵌め合い係合する中間係合体２０と、を有している。
【００１０】
また、図２はボトルに取りつけられた状態の本発明の一実施形態によるボトル取付用樹脂製容器を示す一部破断した拡大正面図であり、図３は本発明の一実施形態によるボトル取付用樹脂製容器における中間係合体の拡大斜視図である。
図２に示すように、容器体１０の口部１２の内周面には凹部（又は凸部）１４が設けられている。また、中間係合体２０の外縁部２２付近には凸部（又は凹部）２４が設けられており、凹部１４と凸部２４は互いに着脱可能に係合している。
一方、雌ねじ付キャップ６が螺合されるボトル２の雄ねじ付口筒部４の下方には、口筒部４の外周に沿って半径方向外方に突出する突起４ａが一体に設けられており、この突起４ａの真下にはボトル２の首部８（凹部）が形成されている。また、この突起４ａの外径はキャップ６の外径よりもわずかに大きい。
【００１１】
さらに、図２及び図３に示すように、中間係合体２０の中央部分には貫通する円孔２３が設けられ、この円孔２３の内径は突起４ａの外径よりもわずかに大きい。
また、円孔２３の縁部には、係止部材２６が内周に沿って間隔を置いて一体に設けられており、この係止部材２６は、突起４ａに接触する程度に半径方向内方にわずかな長さだけ水平又は斜め上方に延び、中間係合体２０をボトル２上に係止する。
さらに円孔２３の縁部には、下方に延びる支持体２８が設けられている。
ここで、上述した係止部材２６が中間部材２０をボトル２上に係止する力は、容器体１０の凹部１４と中間係合体２０の凸部２４との係合に作用する力よりも大きくなっている。
なお、この係止部材２６の形状と各部材間の間隔については、本実施形態のような態様に限定されず、係止部材２６が中間部材２０をボトル２上に係止する力が、容器体１０の凹部１４と中間係合体２０の凸部２４との係合に作用する力よりも大きくなるような態様であれば、先端部が尖った形状等あらゆる形状と間隔に設定することができる。
【００１２】
つぎに、上述した本発明の実施形態の作用（動作）を説明する。
まず、つまみ等の菓子類やキャラクターグッズ等を容器体１０の中に入れ、容器体１０を中間係合体２０で蓋をするように容器体１０の凹部１４に中間係合体２０の凸部２４を嵌め込み、容器体１０と中間係合体２０を係合して一体にする。
つぎに、一体となった容器１における中間係合体２０の円孔２３の中にボトル２のキャップ部分６を押し込み、中間係合体２０の支持体２８がボトル２の表面に接触するまで容器１をボトル２に押し付け、容器１をボトル２に装着する。
ここで、中間係合体２０の係止部材２６は、容器１がボトル２が完全に装着されるまでに、ボトル２の突起４ａに接触して、通常の水平な状態から弾性的に上方に引き上げられる。そして、係止部材２６は、突起４ａ部分を通過した後、再び装着前の元の水平又は斜め上方の姿勢に戻ってボトル２の首部８に嵌まり、中間係合体２０をボトル２上に係止する。
【００１３】
さらに、上述したように、係止部材２６が中間部材２０をボトル２上に係止する力は、容器体１０と中間係合体２０との係合に作用する力よりも大きくなっているため、ボトル２に装着された容器１において、容器体１０のみを上方に引っ張り上げると、中間係合体２０がボトル２の首部８に残って装着されたまま、まずは容器体１０のみが中間係合体２０から分離する。
このようにして、本発明の一実施形態によるボトル取付用樹脂製容器１においては、中間係合体２０をボトル２の首部８に装着したまま容易に容器体１０のみを中間係合体２０から取り外して、コップとして使用したりすることができる。
さらに、本発明の一実施形態によるボトル取付用樹脂製容器１は、在来のあらゆるボトル容器にも容易に装着することができるので、在来のボトル容器の設計変更を要せず、製造コストを抑えることができる。
【００１４】
【発明の効果】
以上説明したように本発明のボトル取付用樹脂製容器によれば、容器内につまみ等の菓子類やキャラクターグッズ等を収容して、容器を容易にあらゆる在来のボトルに装着することができ、装着後は中間係合体のみをボトル上に残したまま容器体のみを取り外してコップとして使用することができる。
【図面の簡単な説明】
【図１】本発明の一実施形態によるボトル取付用樹脂製容器を示す分解斜視図である。
【図２】ボトルに取りつけられた状態の本発明の一実施形態によるボトル取付用樹脂製容器を示す一部破断した拡大正面図である。
【図３】本発明の一実施形態によるボトル取付用樹脂製容器における中間係合体の拡大斜視図である。
【符号の説明】
１　　ボトル取付用樹脂製容器
２　　ボトル
４　　雄ねじ付口筒部
６　　雌ねじ付キャップ
８　　ボトルの首部
１０　　容器体
１２　　容器体の口部
１４　　容器体の凹部
２０　　中間係合体
２２　　中間係合体の外縁部
２３　　円孔
２４　　中間係合体の凸部
２６　　係止部材
２８　　支持体
【図１】
2004010134.tif 000003
【図２】
2004010134.tif 000004
【図３】
2004010134.tif 000005